(57)【特許請求の範囲】
【請求項１】
電気機器を載置可能なると共にその端部で前記電気機器に接続したケーブルが折り返し可能なるテーブルと、該テーブルの下側に前記ケーブルが配されることが可能な空隙部とが少なくとも形成されてなるケーブル余長吸収構造であって、
前記ケーブルは、接続部材を介して前記電気機器に接続できるようになっており、
前記テーブルに、前記ケーブルが挿通可能なるスリットを形成し、
前記テーブルの開口に、前記接続部材上部を覆う位置と開成した位置とに開閉可能なる蓋体を配設することで、当該蓋体とテーブルとで、前記接続部材を挟持することができるようにしたことを特徴とするケーブル余長吸収構造。
【請求項２】
請求項１に記載のケーブル余長吸収構造であって、
前記電気機器は携帯電話であり、前記テーブルには、該携帯電話の画面を横向きになるように寝かせ且つ該携帯電話の一部が露出した状態で該携帯電話を支持可能であることを特徴とするケーブル余長吸収構造。
【請求項３】
請求項１又は請求項２に記載のケーブル余長吸収構造であって、
前記テーブルは、座席の間に配設されてなる自動車用のコンソールボックスに形成されてなることを特徴とするケーブル余長吸収構造。
【発明の詳細な説明】
【０００１】
【発明の属する技術分野】
この発明は、電気機器のケーブル余長を処理するケーブル余長吸収構造に関する。
【０００２】
【従来の技術】
従来のかかるケーブル余長吸収構造としては、例えば、特開２００１−１１４４７４号公報或いは特開平１１−１２２７４２号公報等のように、ケーブル余長を処理する方法としてケーブルをケーブルラック（余長処理本体）に巻き付けることで、ケーブルの余長を吸収する構造がある。また、特開２０００−１０８８１１号公報等のように、コネクタを係止保持するために車体側に合成樹脂や金属製の係止め部を形成したコネクタ格納構造がある。
【０００３】
【発明が解決しようとする課題】
しかしながら、前者の従来の技術にあっては、余長吸収体が必要になり、余分なスペースを取らねばならないし、原価が高騰する。また、後者の従来の技術にあっては、係止め構造が繰り返しの使用によりコネクタが傷みやすくなるばかりか、コネクタを係止めするための嵌合方向・嵌合位置に規制を与える形状を相手部品に設定しなければならないので、嵌合させる際、外れないように、見届ける必要があり、作業が煩わしく、改善が求められている。
【０００４】
この発明は、このような従来の技術に着目してなされたものであり、小さなスペースでの取付を可能とし、原価が低減できるケーブル余長吸収構造を提供するものである。
【０００５】
【課題を解決するための手段】
請求項１に記載の発明は、電気機器を載置可能なると共にその端部で前記電気機器に接続したケーブルが折り返し可能なるテーブルと、該テーブルの下側に前記ケーブルが配されることが可能な空隙部とが少なくとも形成されてなるケーブル余長吸収構造であって、前記ケーブルは、接続部材を介して前記電気機器に接続できるようになっており、前記テーブルに、前記ケーブルが挿通可能なるスリットを形成し、前記テーブルの開口に、前記接続部材上部を覆う位置と開成した位置とに開閉可能なる蓋体を配設することで、当該蓋体とテーブルとで、前記接続部材を挟持することができるようにしたことを特徴としている。
【０００６】
請求項１に記載の発明によれば、電気機器をテーブルに載置した状態では、該電気機器に接続したケーブルはテーブルの端部で折り返して、テーブルの下側に配設されてなる空隙部でケーブルの余長を吸収できるので、ケーブル余長吸収構造がシンプルで、大きなスペースが必要なく、限られたスペースのものでもケーブルの余長吸収を可能とする。また、余長吸収構造として、特別な構造を必要としないので、原価が低減できる。更に、テーブルにケーブルの挿通可能なスリットが形成されてなるので、ケーブルの電気機器への接続部材を引っ張ると、テーブルのスリットを開いてケーブルを引っ張り出すことが可能である。
【０００８】
また、蓋体とテーブルとにより接続部材を上下方向から挟むことで接続部材の使用時・非使用時に関わらず接続部材が遊動することが無くなる。更に、接続部材を上から押さえ込む蓋体により接続部材を直視できなくなり、見栄えを向上する。
【０００９】
請求項２に記載の発明は、請求項１に記載のケーブル余長吸収構造であって、前記電気機器は携帯電話であり、前記テーブルは、該携帯電話の画面を横向きになるように寝かせ且つ該携帯電話の一部が露出した状態で該携帯電話を支持可能である。
【００１０】
請求項２に記載の発明によれば、電気機器としての携帯電話が効率よく且つ最小限のスペースで収納することが可能である。携帯電話を完全に覆わないので、携帯電話の着脱行為を簡易に出来、作業の煩わしさを最も少なくできるし、電話受信状況を最も良好な状態に保つことが出来る。
【００１１】
請求項３に記載の発明は、請求項１又は請求項２に記載のケーブル余長吸収構造であって、前記テーブルは、座席の間に配設されてなる自動車用のコンソールボックスに形成されてなる。
【００１２】
請求項３に記載の発明によれば、請求項１又は請求項２に記載の効果に加え、座席の間に狭い空間に配されるコンソールボックスにテーブルが形成されてなるので、限られたスペースでもケーブルの余長吸収を可能とする。
【００１３】
【発明の実施の形態】
以下、この発明の好適な実施形態を図面に基づいて説明する。
【００１４】
図１〜図５は、この発明の一実施形態を示す図である。ケーブル余長吸収構造１は、「電気機器」である携帯電話２を上側ＵＰに載置可能なると共にその端部３ａで前記携帯電話２に接続部材７により接続したケーブル４が折り返し可能なるテーブル３と、該テーブル３の下側ＬＷＲに前記ケーブル４が配されることが可能な空隙部５とが少なくとも形成されてなるものであって、前記テーブル３には、前記ケーブル４が挿通可能なるスリット６が形成されてなる。
【００１５】
前記テーブル３は、前記接続部材７をスリット６で狭持可能なる弾性材料により形成されてなると共に前記テーブル３の上側ＵＰの開口８には、前記接続部材７を覆う位置（図４参照）と開成した位置（図３参照）とに開閉可能なる蓋体９が配設されてなり、軸１２により回転自在に軸支され、スプリング１１により常時上側ＵＰ、つまり開成する方向に付勢されている。該蓋体９は、図示しないロックにより閉じた状態に保持されている。前記テーブル４には、携帯電話２を載置可能な段状に形成されてなる。蓋体９が閉じた状態で接続部材７が遊動しないようになっている。
【００１６】
前記携帯電話２の画面２ａを横向きになるように寝かせ且つ携帯電話２の一部である上側ＵＰの部位２ｂが露出した状態で支持可能である。
【００１７】
前記テーブル３は、図示しない座席の間に配設されてなる自動車用のコンソールボックス１０に形成されてなり、該コンソールボックス１０の電話ポケット部１３のマスク１４の上側ＵＰに前記テーブル３は載置されている。前記ポケット部１３とマスク１４とに支持されたグロメット１５にケーブル４が挿通されている。前記マスク１４は、樹脂爪１４ａとビス１４ｂにより電話ポケット部１３に固設されている。
【００１８】
前記テーブル３は、自動車の前側ＦＲに垂下されてなるロケートピン３ｂと外周下側ＬＷＲに形成されてなるリブ３ｃとを、前記ポケット部１３に差し込むことで保持されている。前記ポケット部１３は、前側ＦＲに１点、後側ＲＲに２点合計３点のビス１３ａにより固設されている。
【００１９】
符号１９は、図示しないトランスミッションの操作レバーが挿通されるようにコンソールボックス１０に形成されてなる貫通穴で、該貫通穴１９にフード２０が配されている。符号２１は、図示しないサイドブレーキの操作レバーが挿通されるようにコンソールボックス１０に形成されてなる貫通穴で、該貫通穴２１にフード２２が配されている。
【００２０】
次に、この実施形態の作用を説明する。この実施形態では、携帯電話２をテーブル３に載置した状態では、該携帯電話２に接続したケーブル４はテーブル３の端部３ａで折り返して、テーブル３の下側ＬＷＲに配設されてなる空隙部５でケーブル３の余長を吸収できるので、ケーブル余長吸収構造１がシンプルで、大きなスペースが必要なく、限られたスペースのものでもケーブル４の余長吸収を可能とする。また、ケーブル余長吸収構造１として、特別な構造を必要としないので、原価が低減できる。更に、テーブル３にケーブル４の挿通可能なスリット６が形成されてなるので、ケーブル４の携帯電話２への接続部材７を引っ張ると、テーブル３のスリット６を開いてケーブル４を接続部材７と共に引っ張り出すことが可能である。
【００２１】
また、スリット６が形成されてなるテーブル３が弾性材料によりなるので、該スリット６を通過する頻度が高くても接続部材７を痛めにくい。また、局所的な嵌合形状を有していないので、接続部材７の固定作業時に最後まで見届ける必要が無く、作業の煩わしさが低減できる。更に、蓋体９とテーブル３とにより接続部材７を上下方向から挟むことで接続部材７の使用時・非使用時に関わらず接続部材７が遊動することが無くなる。更に、接続部材７を上側ＵＰから押さえ込む蓋体９により接続部材７を直視できなくなり、見栄えを向上する。
【００２２】
また、「電気機器」としての携帯電話２が効率よく且つ最小限のスペースで収納することが可能である。携帯電話２の一部２ｂを露出して完全に覆わないので、携帯電話２の着脱行為を簡易に出来、作業の煩わしさを最も少なくできるし、電話受信状況を最も良好な状態に保つことが出来る。
【００２３】
前記した図示しない座席の間に狭い空間に配されるコンソールボックス１０にテーブル３が配されてなるので、限られたスペースでもケーブル４の余長吸収を可能とする。
【００２４】
前記ケーブル余長吸収構造１は、コンソールボックス１０に形成されてなるだけでなく、座席そのものに形成されてなるものでも、インストルメントパネルに形成されてなるものでも良い。また、電気機器として携帯電話２を例にして説明したが、携帯電話２に限定されるものではなく、トラーシーバーや携帯ラジオなどでも良い。
【図面の簡単な説明】
【図１】この発明の一実施形態に係るケーブル余長吸収構造を含むコンソールボックスの斜視図。
【図２】図１のコンソールボックスの分解斜視図。
【図３】図１のＳＡ−ＳＡ線に沿った断面図。
【図４】図３のケーブルを収納した状態を示す断面図。
【図５】図１の要部の一部破断斜視説明図。
【符号の説明】
１  ケーブル余長吸収構造
２  携帯電話（電気機器）
３  テーブル
３ａ  テーブルの端部
４  ケーブル
５  空隙部
６  スリット
７  接続部材
８  開口
９  蓋体
１０  コンソールボックス
ＦＲ  前側
ＲＲ  後側
ＵＰ  上側
ＬＷＲ  下側
【図１】
0003870788.tif 000002
【図２】
0003870788.tif 000003
【図３】
0003870788.tif 000004
【図４】
0003870788.tif 000005
【図５】
0003870788.tif 000006